(57)【要約】      （修正有）【課題】従来廃棄物となっている容器の首部に吊り下げるための穴の抜き型片を、打ち抜いて廃棄することなく有効に利用し、販売促進の機能をさらに付加することのできる瓶用首かけ袋を提供する。【解決手段】表裏２枚の熱可塑性樹脂製のフイルム8，9を重合し、両側縁で該重合フイルムを熱溶着して側縁を形成し、前記重合フイルムの中間を熱シールして、熱シール部5によって肩当部1と袋体部6に区分けし、前記肩当部の中心付近に瓶の首の寸法より大きい貫通穴13をあけた瓶用首かけ袋において、前記貫通穴の周縁が、該周縁に設けられたタグ片2との連結部4を残して熱刃で溶断してなり、該溶断とともに、肩当部に連結部によって連結するタグ片を形成してなる瓶用首かけ袋。【選択図】図１
2004347965.tif 000002
【特許請求の範囲】
【請求項１】
表裏２枚の熱可塑性樹脂製のフイルムを重合し、両側縁で該重合フイルムを熱溶着して側縁を形成し、前記重合フイルムの中間を熱シールして、該熱シールによって肩当部と袋体部に区分けし、前記肩当部の中心付近に瓶の首の寸法より大きい貫通穴をあけた瓶用首かけ袋において、前記貫通穴の周縁が、該周縁に設けられたタグ片との連結部を残して熱刃で溶断してなり、該溶断とともに、肩当部に連結部によって連結するタグ片を形成してなることを特徴とする瓶用首かけ袋。
【請求項２】
肩当部が、表裏２枚の熱可塑性樹脂製フイルムの間に熱可塑性樹脂製の厚手シートを有することを特徴とする請求項１記載の瓶用首かけ袋。
【請求項３】
タグ片との連結部が、貫通穴の熱シール部近位周縁に設けられてなることを特徴とする請求項１又は２記載の瓶用首かけ袋。
【請求項４】
タグ片との連結部が、貫通穴の熱シール部遠位周縁に設けられてなることを特徴とする請求項１又は２記載の瓶用首かけ袋。
【請求項５】
タグ片との連結部が、貫通穴の側縁側周縁に設けられてなることを特徴とする請求項１又は２記載の瓶用首かけ袋。
【請求項６】
肩当部が、表面フイルムの内面に、印刷インキ層を設けられてなることを特徴とする請求項１、２、３、４又は５記載の瓶用首かけ袋。
【発明の詳細な説明】
【０００１】
【発明の属する技術分野】
本発明は、瓶やボトルなどの商品収納容器の首部に掛けるタグ片付き瓶用首かけ袋に関する。
【０００２】
【従来の技術】
従来から商品収納容器の首部に吊り下げる宣伝用ラベルや紙片は「首かけ」と呼ばれ、図３の宣伝用ラベルシート１４に示すように商品収納容器の首部に吊り下げて使用されている。これらの掲示用ラベルや紙片はシート状のものであって、単に当該商品の宣伝用の字句などの情報を記載したものに過ぎない。さらに、容器の首部に吊り下げるための穴を打ち抜いた抜き型片は廃棄物として処分しなければならない欠点があった。
【０００３】
【発明が解決しようとする課題】
本発明は、従来廃棄物となっている容器の首部に吊り下げるための穴の抜き型片を、打ち抜いて廃棄することなく有効に利用し、販売促進の機能をさらに付加することのできる瓶用首かけ袋を提供することを目的としてなされたものである。
【０００４】
【課題を解決するための手段】
本発明者は、従来の宣伝用ラベルの打ち抜かれる部分の活用方法を鋭意研究の結果、商品収納容器の首部に吊り下げる「首かけ」を、単なる宣伝用ラベルシートとしてではなく、販売促進の機能をさらに付加するために、熱可塑性樹脂製重合フイルムの袋の構造にして使用し、打ち抜かれる貫通穴の抜き型片を、連結部とともにタグ片として前記袋に連結して残し、このタグ片を当該商品の販売促進の情報提供などに利用することによって前記課題を解決できることを見出し本発明を完成するに至った。
すなわち本発明は、
（１）表裏２枚の熱可塑性樹脂製のフイルムを重合し、両側縁で該重合フイルムを熱溶着して側縁を形成し、前記重合フイルムの中間を熱シールして、該熱シールによって肩当部と袋体部に区分けし、前記肩当部の中心付近に瓶の首の寸法より大きい貫通穴をあけた瓶用首かけ袋において、前記貫通穴の周縁が、該周縁に設けられたタグ片との連結部を残して熱刃で溶断してなり、該溶断とともに、肩当部に連結部によって連結するタグ片を形成してなることを特徴とする瓶用首かけ袋、
（２）肩当部が、表裏２枚の熱可塑性樹脂製フイルムの間に熱可塑性樹脂製の厚手シートを有することを特徴とする第１項記載の瓶用首かけ袋、
（３）タグ片との連結部が、貫通穴の熱シール部近位周縁に設けられてなることを特徴とする第１項又は第２項記載の瓶用首かけ袋、
（４）タグ片との連結部が、貫通穴の熱シール部遠位周縁に設けられてなることを特徴とする第１項又は第２項記載の瓶用首かけ袋、
（５）タグ片との連結部が、貫通穴の側縁側周縁に設けられてなることを特徴とする第１項又は第２項記載の瓶用首かけ袋、及び
（６）肩当部が、表面フイルムの内面に、印刷インキ層を設けられてなることを特徴とする第１項、第２項、第３項、第４項又は第５項記載の瓶用首かけ袋、
を提供するものである。
【０００５】
【発明の実施の形態】
本発明瓶用首かけ袋は、熱可塑性樹脂フイルム製の肩当部及び袋体部よりなり、瓶またはボトルなどの商品収容容器の首部に、肩当部に設けられた貫通穴によって掛けられる袋であって、貫通穴の一部に連結して残されたタグ片は当該商品に関連する情報などを購買者に提供することができる。
以下に、図面によって本発明をさらに詳細に説明するが、図面は本発明の一態様を示すものであって、本発明はこれらの図面によってなんら限定されるものではない。
本発明瓶用首かけ袋Ａは、図１及び図２に示すように、熱可塑性樹脂製の表面フイルム８及び裏面フイルム９を重合し、両側の側縁で該重合フイルムを熱溶着して袋側縁７及び肩当部側縁１２を形成し、前記重合シートの中間の熱シール部５で熱シールし、肩当部１と袋体部６に区分けし、前記肩当部１の中心付近に瓶首部２５の寸法より大きい貫通穴１３を熱刃で熱溶断線３において溶断して設け、前記貫通穴１３の周縁に、連結部４によって肩当部１に連結するタグ片２を形成してなるものである。
本発明瓶用首かけ袋Ａは、貫通穴１３を通して瓶肩部２６に掛けることにより、瓶の蓋２４と瓶肩部２６と肩当部１及びタグ片２／連結部４によって動きを制限されるため簡単には瓶Ｂから離脱することはない。
本発明瓶用首かけ袋Ａは、瓶正面２１、瓶側面２２、瓶裏面２３に記載された表示に関して、特定面の表示の識別の障害にならないように、袋体部６の位置関係を変えた、図２（ａ）、（ｂ）、（ｃ）の３態様のものを使用することができる。瓶Ｂの特定面の表示が遮へいされるのを回避でき、特に好都合である。図２（ａ）、（ｂ）、（ｃ）は、いずれもタグ片２が瓶正面２１方向に向くようになっている。この目的に応じて、それぞれ、図１（ａ）、（ｂ）、（ｃ）の態様の本発明瓶用首かけ袋Ａを使用することができる。
図１（ａ）に示す本発明瓶用首かけ袋Ａは、タグ片２と肩当部１との連結部４が、熱シール部５に近い貫通穴１３の近位周縁に設けられている点に特徴がある瓶用首かけ袋である。本態様の瓶用首かけ袋Ａのタグ片２は、袋体部６の方向に向いている。
図１（ｂ）に示す本発明瓶用首かけ袋Ａは、タグ片２と肩当部１との連結部４が、熱シール部５から遠い貫通穴１３の遠位周縁に設けられている点に特徴がある瓶用首かけ袋である。本態様の瓶用首かけ袋Ａのタグ片２は、袋体部６の反対方向に向いている。
図１（ｃ）に示す本発明瓶用首かけ袋Ａは、タグ片２と肩当部１との連結部４が、貫通穴１３の側縁側周縁に設けられている点に特徴がある瓶用首かけ袋である。本態様の瓶用首かけ袋Ａのタグ片２は、袋体部６と直角方向に向いている。
【０００６】
本発明に用いる熱可塑性樹脂製のフイルムは、通常包装袋用などに使用される公知の熱可塑性樹脂製のフイルムを特に制限することなく使用することができる。例えば、高密度、中密度又は低密度ポリエチレン、ポリプロピレン、ポリエチレンプロピレンコポリマー、ポリブチレンなどのポリオレフィン樹脂、ポリ塩化ビニル、ポリ塩化ビニリデンなどのビニル系樹脂、ポリエチレンテレフタレート、ポリブチレンテレフタレートなどのポリエステル樹脂、ナイロンなどのポリアミド系樹脂等を素材とする熱可塑性樹脂フイルム及びこれらのラミネートフイルムを使用することができる。高密度、中密度又は低密度ポリエチレン、ポリプロピレン、ポリエチレンプロピレンコポリマー、ポリブチレンなどのポリオレフィン樹脂、ポリエチレンテレフタレート、ポリブチレンテレフタレートなどのポリエステル樹脂、ナイロンなどのポリアミド系樹脂フイルム等を単独又は共重合若しくは混合した熱可塑性樹脂フイルムを好適に使用することができる。ポリエチレン、ポリプロピレン又はエチレンプロピレンコポリマー製のものを特に好適に使用することができる。
本発明に用いる熱可塑性樹脂フイルムの厚さは、２０〜２００μｍ、好ましくは３０〜１００μｍのものを使用することができる。２０μｍ未満の厚さのフイルムは、薄過ぎて使用中に破損し易い。２００μｍを超える厚さのフイルムは、本発明に用いる袋は格別荷重に耐える必要はないので不要である。
本発明に用いる表裏２枚熱可塑性樹脂製のフイルムは、それぞれ別の２枚の熱可塑性樹脂製のフイルムを重合して使用することもでき、１枚の熱可塑性樹脂製のフイルムを半折重合して、表面フイルム８及び裏面フイルム９として使用することもできる。
本発明瓶用首かけ袋の両側縁は、前記重合フイルムを熱溶着して形成する本発明瓶用首かけ袋Ａの両側の袋側縁７及び肩当部側縁１２であって、両側縁間の寸法は、対象となる瓶Ｂの寸法によって適宜選択して使用することができる。本発明瓶用首かけ袋の両側縁の長さは、瓶に合わせて、瓶の首部から底面までの長さの２０〜１００％にすることができる。
本発明に用いる両側縁での重合フイルムの熱溶着は、公知の熱可塑性樹脂製のフイルムの熱溶着方法を特に制限することなく使用することができる。
【０００７】
本発明瓶用首かけ袋の肩当部１は、表面フイルム８及び裏面フイルム９を重合し、両側の側縁で該重合フイルムを熱溶着して肩当部１の肩当部側縁１２を形成し、前記重合フイルムの中間の熱シール部５で熱シールし、袋体部６と区分けすることができる。
本発明瓶用首かけ袋の肩当部１の形状、寸法は、瓶用首かけ袋Ａを掛ける瓶などの商品収容容器の大きさに応じて適宜選択して使用することができる。
本発明に用いる前記重合フイルムの中間の熱シールは、肩当部１と、袋体部６とを熱シール部５によって区分けするものであって、肩当部１が、表裏２枚の熱可塑性樹脂製フイルムの間に熱可塑性樹脂製の厚手シート１０を有する本発明の態様においては、表裏２枚の熱可塑性樹脂製フイルムとともに厚手シート１０を熱シール部５において熱シールすることができる。
本発明に用いる前記肩当部１の熱シールは、本発明の目的を達成できるものであれば、公知の熱融着方法を特に制限なく使用できる。
【０００８】
本発明瓶用首かけ袋の肩当部１は、瓶用首かけ袋Ａを容器の瓶首部２５と瓶肩部２６に保持する部分であって、その中心付近に瓶の首の寸法より大きく、瓶の蓋２４を通過することのできる貫通穴１３を、肩当部１に連結する連結部４を残して熱溶断線３において、熱刃で溶断して設け、肩当部１に連結した状態でタグ片２を形成してなることができる。本発明瓶用首かけ袋の肩当部１は、重合フイルムのみでは、垂れ下がることがあり、また、表裏のフイルム面上の印刷が重なって見えて識別し難くなることがあり、さらに、表面フイルムの内面に印字された個別情報の透視を防ぐためなどによって、肩当部１の表裏２枚の熱可塑性樹脂製フイルムの間には厚手シート１０を有するものが好ましい。
本発明瓶用首かけ袋の肩当部１に用いる熱可塑性樹脂製の厚手シート１０は、前記の効果を有するものであれば、特に制限することなく、通常包装用袋等の補強用などに使用される公知の熱可塑性樹脂製の厚手シートを使用することができる。本発明に用いる前記熱可塑性樹脂製のフイルムと同じ材質の厚手シートを使用することができる。ポリエチレン、ポリプロピレン、ポリエチレンテレフタレート、ポリスチレン製などのシートを好適に使用することができる。これらの熱可塑性樹脂製の合成紙を特に好適に使用することができる。本発明に用いる熱可塑性樹脂製シートの厚さは、３０〜２００μｍ、好ましくは５０〜１００μｍのものを使用することができる。
本発明瓶用首かけ袋の肩当部１に用いる貫通穴１３形成のための熱刃による溶断は、公知の熱可塑性樹脂製のフイルムの熱溶断方法を特に制限することなく使用することができる。例えば、電熱加熱刃、電磁誘導加熱刃などの熱溶断方法を使用することができる。
本発明瓶用首かけ袋の肩当部１に設けるタグ片２は、肩当部１の中心付近に熱溶断線３において、熱刃で溶断して貫通穴１３を設け、肩当部１に連結部４で連結した状態でタグ片２を残して形成することができる。
【０００９】
本発明瓶用首かけ袋のタグ片２は、貫通穴１３が瓶の蓋２４を通過できるものであれば、特に形状を限定することなく形成することができる。瓶の蓋２４及び瓶首部２５の断面が円形である場合が多いので、貫通穴１３は円形のものが好適であり、その結果、タグ片２は図１に例示するように、単純な円形のものを好適に使用することができるが、タグ片２は角型であってもよく、また、意匠性を重視し、例えば、ハート形などの形状のものを使用することもできる。
本発明に用いるタグ片２は、瓶の正面に向いて配置され、商品販売促進用の個別情報の提供などを明示でき、かつ、瓶の蓋及び首部を覆うことができるので美観にも寄与することができる。
本発明に用いるタグ片２の連結部４の形状及び寸法は、貫通穴１３が瓶の蓋２４を通過できるものであり、かつ、連結部４の折り曲げ、捩れ又は引っ張りなどに対する強度が十分なものであれば、特に制限することなく適宜選択して使用することができる。
本発明に用いるタグ片２は、タグ片２の表面、裏面の他に、内面も情報提供の役に立てることができる。例えば、商品販売促進用の手段として、当該商品を購入すると、景品等の商品販売促進用の個別情報を、タグ片２の内面に印字しておくことができる。
本発明に用いるタグ片２は、その内部に商品販売促進用の個別情報などを印字した場合などには、簡単にタグ片２の表面フイルム８が剥離されることなく、かつ、裏面から透視できないようにしておく必要がある。
本発明に用いるタグ片２は、表面フイルム８、裏面フイルム９、厚手シート１０が熱可塑性樹脂製の積層体であることによって、熱溶断線３の周縁の肩当部１及びタグ片２の周縁を熱溶断と同時に熱溶着をすることができる。このため、前記の肩当部１及びタグ片２は、熱溶断線３周縁で、表面フイルム８、裏面フイルム９、厚手シート１０が熱溶着封止され、簡単には剥離されることはない。また、厚手シート１０によって遮られているので、表面フイルム８の内面に印字された個別情報を透視することはできない。
本発明に用いるタグ片２は、購買者が内部に印字された情報を見るには、タグ片２の上部周縁部を鋏などで切り取り、非接着部分で開封することができる。タグ片２の表面フイルム８を剥離して内部に印字された情報を確認後、タグ片を切り取り、前記個別情報を集め、一定の条件に達したときに商品販売者に送付して利益還元などを求めることができる。本発明瓶用首かけ袋Ａのタグ片２は、小型であり、剥離した表面フイルムは薄く軽量であるので、郵送などが容易である。
【００１０】
本発明瓶用首かけ袋の肩当部１は、表面フイルム８の内面に、印刷インキ層を設けることができる。印刷インキ層の接着性によって、前記熱溶断線３周縁での線状溶着に加えて、面状接着によって、より強固に接着することができる。
本発明瓶用首かけ袋の肩当部１の表面フイルム８の内面に設ける印刷インキ層は、熱可塑性樹脂製のフイルムなどに使用する公知の印刷インキ及び印刷機を使用して形成することができる。グラビア印刷方式を特に好適に使用することができる。前記肩当部１の表面フイルム８の内面に設けられる印刷インキ層は、面状接着強度を調節することができる。例えば、印刷インキ層の接着性の強度、塗布厚さ、塗布面積などの選択によって面状接着強度を調節することができる。印刷インキ層の接着性の強度は、印刷インキの種類を変えることによって変更でき、塗布厚さは、熱溶断線３周縁の単位面積当たりの印刷インキの塗布量を変えることによって調節でき、その周辺との塗布厚さの相異は、印刷インキの濃淡差によって透明な表面フイルム８を通して判別することができる。塗布面積は、例えば、熱溶断線３周縁にミシン目模様打ちなどを施すことによって熱溶断線３周縁の接着面積の低減化を行うことができる。これらの面状接着強度の調節にあたっては、通常の印刷インキ層による接着強度の４０〜９０％に低減したものを好適に使用することができ、調節された接着強度は、ミシン目模様打ちなどの物理的形状、印刷インキ濃淡諧調などによって外部から一見して判別できるものにすることができる。
本発明瓶用首かけ袋の袋体部６は、表面フイルム８、裏面フイルム９、熱シール部５及び両側の袋側縁７と袋体底部によって形成することができる。袋体底部には、図１（ａ）、（ａ’）に示すように、開口部１１を設けることができる。この場合には、表面フイルム８又は裏面フイルム９のいずれかを他方より長くしておくことにより、開口部１１を容易に封鎖することができる。また、本発明瓶用首かけ袋の袋体部６は、袋体底部が封止形成され、開口部を袋体の底部以外の任意の位置に設けることもできる。
本発明瓶用首かけ袋の袋体部６には、小型物品、例えば、タグ片などを収納することができる。
【００１１】
【発明の効果】
本発明によれば、従来廃棄物となっている容器の首部に掛けるための穴の抜き型片を、打ち抜いて廃棄することなく、貫通穴の周縁に連結して残し、販売促進用の情報提供などに有効に利用し得る瓶用首かけ袋を提供することができる。
【図面の簡単な説明】
【図１】図１（ａ）は、瓶用首かけ袋の正面図である。
図１（ａ’）は、瓶用首かけ袋の断面図である。
図１（ｂ）は、別態様の瓶用首かけ袋の正面図である。
図１（ｃ）は、別態様の瓶用首かけ袋の正面図である。
【図２】図２（ａ）は、角型の瓶に図１（ａ）の瓶用首かけ袋を掛けた斜視図である。
図２（ｂ）は、角型の瓶に図１（ｂ）の瓶用首かけ袋を掛けた斜視図である。
図２（ｃ）は、角型の瓶に図１（ｃ）の瓶用首かけ袋を掛けた斜視図である。
【図３】図３は、瓶の首に従来品の宣伝用ラベルシートを掛けた斜視図である。
【符号の説明】
Ａ  瓶用首かけ袋
１  肩当部
２  タグ片
３  熱溶断線
４  連結部
５  熱シール部
６  袋体部
７  袋側縁
８  表面フイルム
９  裏面フイルム
１０  厚手シート
１１  開口部
１２  肩当部側縁
１３  貫通穴
１４  宣伝用ラベルシート
Ｂ  瓶
２１  瓶正面
２２  瓶側面
２３  瓶裏面
２４  蓋
２５  瓶首部
２６  瓶肩部
【図１】
2004347965.tif 000003
【図２】
2004347965.tif 000004
【図３】
2004347965.tif 000005